(57)【要約】【課題】卓上載置時であっても壁面取り付け時であっても電話機の向きが変わらないのでコードレス送受話器等を安定して保持することができると共に電話機の操作性に優れ、且つ電話機を壁面に固定された電話機取り付け部材に強固に取り付けることができる電話機の取り付け構造を提供することを目的とする。【解決手段】本発明の電話機の取り付け構造は、電話機１の筐体背面３に形成されたフック掛止孔部７と、電話機取り付け部材１３に形成されたフック爪部１６と、電話機１の筐体底面２に形成された嵌合凹部９と、電話機取り付け部材１３のフック爪部１６の下部に配設され電話機１側に突出する下部側突出部１９と、下部側突出部１９の上面に形成された底面保持面２０と、底面保持面２０上に形成された嵌合凸部２３と、嵌合凸部２３を底面保持面２０から突出する方向に付勢する弾性部２２と、を備えた構成を有している。【選択図】  図３
2004328113.tif 000002
【特許請求の範囲】
【請求項１】
電話機を壁面に固定された電話機取り付け部材に脱着自在に取り付けるための電話機の取り付け構造であって、
前記電話機の筐体背面に形成され前記電話機の底面側に向けて開口したフック掛止孔部と、
前記電話機取り付け部材の前記フック掛止孔部に対向する位置に形成され前記フック掛止孔部に挿入されるフック爪部と、
前記電話機の筐体底面に形成された嵌合凹部と、
前記電話機取り付け部材の前記フック爪部の下部に配設され前記電話機側に突出するように形成された下部側突出部と、
前記下部側突出部の上面に平面状に形成され前記電話機の前記筐体底面を保持する底面保持面と、
前記底面保持面上の前記嵌合凹部に対向する位置に形成され前記底面保持面から突出及び陥没自在に配設された嵌合凸部と、
前記嵌合凸部を前記底面保持面から突出する方向に付勢する弾性部と、
を備えたことを特徴とする電話機の取り付け構造。
【請求項２】
前記嵌合凸部を前記底面保持面から陥没させる脱着レバー部を備えたことを特徴とする請求項１に記載の電話機の取り付け構造。
【請求項３】
前記電話機取り付け部材の前記フック爪部の下部に配設され下方に向かって突出した係合爪部と、前記電話機の前記筐体背面に配設され前記係合爪部に下部側から係合する係合受け部と、を備えたことを特徴とする請求項１又は２に記載の電話機の取り付け構造。
【請求項４】
前記電話機取り付け部材に前記電話機側に突出するように形成され頂部に前記フック爪部が配設された上部側突出部と、前記上部側突出部に前記フック爪部から下部に向かって形成され前記電話機の前記筐体背面に当接して保持する平面状の背面保持面と、を備えたことを特徴とする請求項１乃至３の内いずれか１項に記載の電話機の取り付け構造。
【請求項５】
前記フック爪部の基部が前記背面保持面と同一面となる平面状に形成されると共に、前記基部に連設された前記フック爪部の先端部が前記基部に対して前記背面保持面の反対側に向かって屈曲していることを特徴とする請求項４に記載の電話機の取り付け構造。
【発明の詳細な説明】
【０００１】
【発明の属する技術分野】
本発明は、電話機を壁面に固定された電話機取り付け部材に脱着自在に取り付けるための電話機の取り付け構造に関する。
【０００２】
【従来の技術】
遠隔地の者と連絡を取るために家庭や仕事場等において広く用いられている電話機は、通常、台上や卓上等に載置されて使用されている。近年、電話機を設置する室内に電話機を載置する台等を設置するスペースがない場合や種々の業務上の要求等から電話機を壁面に取り付けて使用することが要望されている。
【０００３】
この要望を満たすために、特許文献１には「電話機の一の取り付け面の略四隅に引っ掛け孔を各々設け、壁に取り付けられる箱形ケースに各々の引っ掛け孔に掛止されるフックや爪部を設けた電話機の壁掛け構造」が開示されている。なお、特許文献１の電話機の壁掛け構造は、卓上載置時には該取り付け面を下にして載置されるが、壁掛け時には該取り付け面を壁面に向けて掛止される。このように、特許文献１では壁掛け時には卓上載置時と比べて電話機の向きが略９０°傾くため、壁掛け時に受話器が落下しないように受話器は予め設けられているフック等に掛止される。（特許文献１参照）。
【０００４】
【特許文献１】
特開平６−２２０１５号公報
【０００５】
【発明が解決しようとする課題】
しかしながら上記従来の技術では、以下のような課題を有していた。
【０００６】
（１）特許文献１の電話機の壁掛け構造では、卓上載置時には底部の取り付け面を下にして載置されるが、壁掛け時には取り付け面を壁面に向けて掛止されるため、操作ボタン等の操作部が形成された電話機の上面側が使用者に対して略垂直になるので、操作性に欠けるという課題を有していた。
【０００７】
（２）特許文献１の電話機の壁掛け構造は、電話機の上面に形成された受け部にコードレス子機やコードレス送受話器等が略垂直に保持されるものを考慮していないので、特許文献１の電話機の壁掛け構造をこのような電話機に用いた場合、卓上載置時には受け部が上向きに開口するためコードレス子機やコードレス送受話器を安定して保持できるが、壁掛け時には受け部が前向きに開口することになるので、コードレス子機やコードレス送受話器を保持することができず対応することができないという課題を有していた。
【０００８】
（３）特許文献１の壁掛け構造を用いて電話機を卓上載置時と略同様の向きで壁に掛止する場合、電話機の壁に向き合う面は電話機の側部の面であり底部と比較して面積が著しく小さく、このように面積の小さい電話機の側部にのみ設けられた引っ掛け孔等で電話機を掛止するので取り付け強度が著しく低下するという課題を有していた。
【０００９】
本発明は上記従来の課題を解決するもので、卓上載置時であっても壁面取り付け時であっても電話機の向きが変わらないのでコードレス子機やコードレス送受話器を安定して保持することができると共に電話機の操作性に優れ、且つ電話機を壁面に固定された電話機取り付け部材に強固に取り付けることができる電話機の取り付け構造を提供することを目的とする。
【００１０】
【課題を解決するための手段】
上記課題を解決するために、本発明の電話機の取り付け構造は、電話機を壁面に固定された電話機取り付け部材に脱着自在に取り付けるための電話機の取り付け構造であって、前記電話機の筐体背面に形成され前記電話機の底面側に向けて開口したフック掛止孔部と、前記電話機取り付け部材の前記フック掛止孔部に対向する位置に形成され前記フック掛止孔部に挿入されるフック爪部と、前記電話機の筐体底面に形成された嵌合凹部と、前記電話機取り付け部材の前記フック爪部の下部に配設され前記電話機側に突出するように形成された下部側突出部と、前記下部側突出部の上面に平面状に形成され前記電話機の前記筐体底面を保持する底面保持面と、前記底面保持面上の前記嵌合凹部に対向する位置に形成され前記底面保持面から突出及び陥没自在に配設された嵌合凸部と、前記嵌合凸部を前記底面保持面から突出する方向に付勢する弾性部と、を備えた構成を有している。
【００１１】
この構成により、卓上載置時であっても壁面取り付け時であっても電話機の向きが変わらないのでコードレス子機やコードレス送受話器を安定して保持することができると共に電話機の操作性に優れ、且つ電話機を壁面に固定された電話機取り付け部材に強固に取り付けることができる電話機の取り付け構造を提供することができる。
【００１２】
【発明の実施の形態】
本発明の請求項１に記載の電話機の取り付け構造は、電話機を壁面に固定された電話機取り付け部材に脱着自在に取り付けるための電話機の取り付け構造であって、前記電話機の筐体背面に形成され前記電話機の底面側に向けて開口したフック掛止孔部と、前記電話機取り付け部材の前記フック掛止孔部に対向する位置に形成され前記フック掛止孔部に挿入されるフック爪部と、前記電話機の筐体底面に形成された嵌合凹部と、前記電話機取り付け部材の前記フック爪部の下部に配設され前記電話機側に突出するように形成された下部側突出部と、前記下部側突出部の上面に平面状に形成され前記電話機の前記筐体底面を保持する底面保持面と、前記底面保持面上の前記嵌合凹部に対向する位置に形成され前記底面保持面から突出及び陥没自在に配設された嵌合凸部と、前記嵌合凸部を前記底面保持面から突出する方向に付勢する弾性部と、を備えた構成を有している。
【００１３】
この構成により、以下の作用を有する。
【００１４】
（１）電話機を壁面に固定された電話機取り付け部材に取り付ける場合、フック爪部をフック掛止孔部に挿入して掛止すると共に、電話機をフック爪部が挿入されたフック掛止孔部を支点にして電話機取り付け部材に向かって回動させる。嵌合凸部は筐体底面に当接しながら筐体底面により押し込まれて陥没し、最奥部において嵌合凹部に嵌合する。
【００１５】
（２）電話機取り付け部材を電話機から取り外す場合、嵌合凸部を陥没させ電話機の嵌合凹部から外すと共に、電話機取り付け部材を電話機のフック掛止孔部に挿入されたフック爪部を支点にして電話機から離れる方向に回動させる。続いて、電話機取り付け部材を下方へ移動させることによりフック爪部をフック掛止孔部から抜く。
【００１６】
（３）電話機取り付け部材の下部側突出部の上面に形成された底面保持面に電話機の筐体底面を載置して保持すると共に、フック爪部をフック掛止孔部に挿入し嵌合凸部を嵌合凹部に嵌合して、電話機を卓上載置時と同じ向きで電話機取り付け部材を介して壁面に取り付けることができるので、壁面取り付け時にも電話機の向きが変わらないのでコードレスの送受話器等を略垂直に安定して保持することができると共に電話機の操作ボタン等が設けられた筐体上面を上側にして壁面に取り付けることができるので電話機の操作性に優れる。
【００１７】
（４）電話機を壁面に固定された電話機取り付け部材に取り付けた場合、電話機取り付け部材の下部側突出部の上面に形成された底面保持面に電話機の筐体底面を載置して保持することができるので、電話機に電話機が下方へ移動する方向に衝撃が加わった場合であっても電話機は電話機取り付け部材から外れることがなく電話機取り付け部材に強固に固定される。
【００１８】
本発明の請求項２に記載の発明は、請求項１に記載の電話機の取り付け構造であって、前記嵌合凸部を前記底面保持面から陥没させる脱着レバー部を備えた構成を有している。
【００１９】
この構成により、請求項１の作用に加え、以下の作用を有する。
【００２０】
（１）電話機取り付け部材を電話機から取り外す場合、電話機取り付け部材の脱着レバー部を操作することにより、嵌合凸部を陥没させ電話機の嵌合凹部から外す。
【００２１】
本発明の請求項３に記載の発明は、請求項１又は２に記載の電話機の取り付け構造であって、前記電話機取り付け部材の前記フック爪部の下部に配設され下方に向かって突出した係合爪部と、前記電話機の前記筐体背面に配設され前記係合爪部に下部側から係合する係合受け部と、を備えた構成を有している。
【００２２】
この構成により、請求項１又は２の作用に加え、以下の作用を有する。
【００２３】
（１）電話機を壁面に固定された電話機取り付け部材に取り付けた場合、電話機の係合受け部に電話機取り付け部材の係合爪部が係合するので、電話機に電話機が上方へ移動する方向に衝撃が加わった場合、又は電話機の先端部が下に押し下げられる衝撃が加わった場合であっても電話機は電話機取り付け部材から外れることがなく電話機取り付け部材に強固に固定される。
【００２４】
本発明の請求項４に記載の発明は、請求項１乃至３の内いずれか１項に記載の電話機の取り付け構造であって、前記電話機取り付け部材に前記電話機側に突出するように形成され頂部に前記フック爪部が配設された上部側突出部と、前記上部側突出部に前記フック爪部から下部に向かって形成され前記電話機の前記筐体背面に当接して保持する平面状の背面保持面と、を備えた構成を有している。
【００２５】
この構成により、請求項１乃至３の内いずれか１項の作用に加え、以下の作用を有する。
【００２６】
（１）電話機を壁面に固定された電話機取り付け部材に取り付けた場合、背面保持面が筐体背面に当接して筐体背面を保持することができる。
【００２７】
本発明の請求項５に記載の発明は、請求項４に記載の電話機の取り付け構造であって、前記フック爪部の基部が前記背面保持面と同一面となる平面状に形成されると共に、前記基部に連設された前記フック爪部の先端部が前記基部に対して前記背面保持面の反対側に向かって屈曲している構成を有している。
【００２８】
この構成により、請求項４の作用に加え、以下の作用を有する。
【００２９】
（１）電話機を壁面に固定された電話機取り付け部材に取り付けた場合、フック爪部の先端部が電話機の反対側に屈曲し、且つ、背面保持面が筐体背面に当接して筐体背面を保持するので、電話機に電話機が上方へ移動する方向に衝撃が加わった場合、又は電話機の先端部が下に押し下げられる衝撃が加わった場合であっても電話機は電話機取り付け部材から外れることがなく電話機取り付け部材に強固に固定される。
【００３０】
以下に本発明の一実施の形態について説明する。
【００３１】
（実施の形態１）
図１は本実施の形態１の電話機の取り付け構造における電話機の筐体背面側の要部斜視図であり、図２（ａ）は本実施の形態１の電話機の取り付け構造における電話機取り付け部材の電話機取り付け面側の要部斜視図であり、図２（ｂ）は本実施の形態１の電話機の取り付け構造における電話機取り付け部材の壁面固定面側の要部斜視図であり、図３は壁面に固定された電話機取り付け部材に電話機を取り付けた状態を示す一部断面要部側面図である。
【００３２】
図１において、１は電話機、２は電話機１の筐体底面、３は電話機１の筐体背面、４は筐体背面３の略中央部に平面視矩形状で凹状に形成された背面側凹部、５は背面側凹部４内部の底面である内部底面部、６は背面側凹部４内部の電話機１の上面側の側面である内部側面部、７は内部側面部６に形成され電話機１の底面側に向けて開口したフック掛止孔部、８は背面側凹部４の電話機１の底面側の縁部である係合受け部、８ａは係合受け部８から筐体底面２側へ湾曲して形成された筐体底面２の縁部である湾曲縁部、９は筐体底面２の筐体背面３側に形成された嵌合凹部、１０は背面側凹部４の内部底面部５に配設された電源接続部、１１は背面側凹部４の内部底面部５に電源接続部９に並んで配設された回線接続部である。
【００３３】
図２において、１３は電話機取り付け部材、１４は電話機取り付け部材１３の壁面へ固定される壁面固定面の反対側の筐体面である電話機取り付け面、１５は電話機取り付け部材１３の上部側の電話機取り付け面１４の両側部に配設され電話機取り付け面１４から突出した一対の上部側突出部、１６は一対の上部側突出部１５の頂部に各々配設された一対のフック爪部、１７は上部側突出部１５の頂部から下部側に向かって延びる傾斜面状に形成された背面保持面、１８は背面保持面１７の下端部に形成され下部に向かって凸状に形成された係合爪部、１９は電話機取り付け面１４の下部側に配設され電話機取り付け面１４から突出した一対の下部側突出部、２０は下部側突出部の上部側に傾斜面状に形成された底面保持面、２１は底面保持面２０に開口され電話機取り付け部材１３の壁面へ固定される面側に連通した保持部開口部、２２は保持部開口部２１の縁部から保持部開口部２１を覆うように延設された板状の弾性部、２３は各々の弾性部２２上に突設された一対の嵌合凸部、２４は弾性部２２から保持部開口部２１を会して電話機取り付け部材１３の壁面へ固定される面側に延設された脱着レバー部、２５は電話機取り付け部材１３の中央部に開口された開口部、２６は開口部２５の上部及び下部に形成され後述のビスにより電話機取り付け部材１３を壁面に固定するための取り付け孔部、２６ａは取り付け孔部２６の上部に連設されたスライド部、２６ｂは後述のビスの頭部より大きく形成された取り付け孔部２６の抜き出し部である。
【００３４】
図３において、２８は家屋等の壁面、２９は壁面２８に設けられたモジュラージャック、３０は壁面２８上に設けられたモジュラージャック２９の外装部、３１は電話機取り付け部材１３を外装部３０を介して壁面２８に固定するためのビス、３２は電話機１の操作ボタン等が配設された筐体上面、３３は電話機１の筐体上面３２に設けられた送受話器保持部、３４は送受話器保持部３３に保持される電話機１の送受話器である。なお、図３において、図１又は図２において説明したものと同様のものは同一の符号を付けて説明を省略する。
【００３５】
フック掛止孔部７は一対のフック爪部１６に対応して内部側面部６の両端側に一対設けられている。また、電話機１を取り付ける場合には、フック爪部１６を内部底面部５に当接させ滑らせながらフック掛止孔部７に挿入するため、フック掛止孔部７は内部側面部６と内部底面部５とにより形成される内角部分に設けられている。また、フック掛止孔部７は、フック爪部１６が挿入されたフック掛止孔部７を支点にして電話機取り付け体１３を回動させ取り外すことができるように、少なくとも回動方向の幅がフック爪部１６より大きく形成されている。
【００３６】
電話機取り付け部材１３は、合成樹脂や金属等により形成され、内部や壁面２８側に補強のためのリブ等を設け所定の強度を得ることが好ましい。
【００３７】
フック爪部１６は上方に向かって延びるフック状に形成され、その先端部が背面保持面１７の反対側に所定角度屈曲して形成されている。
【００３８】
下部側突出部の上部側に形成された底面保持面２０は、壁面２８に直交する方向より所定角度下方へ傾斜して形成されている。これにより、使用者が電話機１の筐体上面３２に形成された操作ボタン等を操作し易い角度となるように電話機１を電話機取り付け部材１３を介して壁面２８に取り付けることができる。
【００３９】
弾性部２２は一端部が保持面開口部２１の縁部に固定され他端部は脱着レバー部２４が形成された自由端であるので、弾性部２２上に突設された嵌合凸部２３を突出及び陥没させることができると共に板バネとなって嵌合凸部２３を上方へ付勢する。なお、弾性部２２としては、これに限られるものではなく、コイルバネやゴム等の弾性体を用いることもできる。
【００４０】
また、本実施の形態１においては、フック掛止孔部７とそれに挿入され掛止するフック爪部１６、嵌合凹部９とそれに嵌合する嵌合凸部２３、及び係合受け部８とそれに係合する係合爪部１８は各々２組づつ設けられているが、３組以上設けてもよく、また１組でもよい。複数組を水平方向に並設した場合は電話機取り付け部材１３に取り付けられた電話機１が安定して保持されるため好ましい。
【００４１】
なお、図３に示すモジュラージャック２９には、電話機１の回線接続部１１に接続された回線コード（図示せず）が電話機取り付け部材１３の開口部２５を介して接続される。同様に、電話機１の電源接続部１０に接続される電源コード（図示せず）も開口部２５を介して電話機取り付け部材１３の壁面取り付け面側に配線され壁面に設けられたコンセント等に接続される。
【００４２】
以上のように構成された本実施の形態１における電話機の取り付け構造について、以下その使用動作を図を用いて説明する。
【００４３】
まず、電話機１を壁面２８に固定された電話機取り付け部材１３に取り付ける動作について説明する。
【００４４】
図４（ａ）は電話機１を壁面２８に固定された電話機取り付け部材１３に取り付ける動作を示す要部側面図であり、図４（ｂ）は電話機１を壁面２８に固定された電話機取り付け部材１３に取り付ける動作を示す要部側面図である。なお、図４において、図１乃至図３において説明したものと同様のものは同一の符号を付けて説明を省略する。
【００４５】
電話機１を壁面２８に固定された電話機取り付け部材１３に取り付ける場合、予め電話機取り付け部材１３を壁面２８に設けられた外装部３０にビス３１により固定する。このとき、ビス３１を頭部側の軸部を残して外装部３０に螺着し、電話機取り付け部材１３の取り付け孔部２６の抜き出し部２６ｂにビス３１を頭部から挿通させると共に電話機取り付け部材１３を下方にスライドさせ、残したビス３１の軸部をスライド部２６ａの上端部までスライドさせることで電話機取り付け部材１３を固定する。次に、図４（ａ）に示すように、電話機１の内部底面部５に壁面２８に固定された電話機取り付け部材１３のフック爪部１６を当接させ滑らせながら電話機１を下方へ移動させ、フック爪部１６をフック掛止孔部７に挿入する。このとき、フック爪部１６の屈曲した先端部がフック掛止孔部７に略真っ直ぐに挿入される方向から電話機１を移動させ挿入することが好ましい。続いて、図４（ｂ）に示すように、電話機１をフック爪部１６が挿入されたフック掛止孔部７を支点にして電話機取り付け部材１３に向かって回動させる。このとき、電話機１の筐体底面２の湾曲縁部８ａが電話機取り付け部材１３の底面保持面２０に形成された嵌合凸部２３に当接し、更に電話機１を回動させることにより筐体底面２により嵌合凸部２３は押し込まれて陥没する。電話機１の内部底面部５が電話機取り付け部材１３の背面保持面１７に当接し電話機１の筐体底面２が電話機取り付け部材１３の底面保持面２０に当接するまで電話機１を回動させると、嵌合凸部２３は弾性部２２により付勢され嵌合凹部９に嵌合する。また、電話機１の係合受け部８に電話機取り付け部材１３の係合爪部１８が係合する。このようにして、電話機１は壁面２８に固定された電話機取り付け部材１３に取り付けられる。
【００４６】
次に、電話機取り付け部材１３を電話機１から取り外す動作について説明する。
【００４７】
図５（ａ）は電話機取り付け部材１３を電話機１から取り外す動作を示す要部側面図であり、図５（ｂ）は電話機取り付け部材１３を電話機１から取り外す動作を示す要部側面図である。なお、図５において、図１乃至図３において説明したものと同様のものは同一の符号を付けて説明を省略する。
【００４８】
電話機取り付け部材１３を電話機１から取り外す場合、予め壁面２８に固定された電話機取り付け部材１３を電話機１と共に壁面２８から取り外す。このとき、電話機取り付け部材１３を上方へスライドさせることで、ビス３１の軸部を取り付け孔部２６のスライド部２６ａに沿って抜き出し部２６ｂまでスライドさせ抜き出し部２６ｂからビス３１の頭部を抜くことで電話機取り付け部材１３を壁面２８から取り外す。次に、図５（ａ）に示すように、電話機取り付け部材１３の脱着レバー部２４を下方に向かって押し下げる。これにより、嵌合凸部２３は陥没し電話機１の嵌合凹部９から外れる。続いて、図５（ｂ）に示すように、電話機取り付け部材１３を電話機１のフック掛止孔部７に挿入されたフック爪部１６を支点にして電話機１から離れる方向に回動させる。電話機取り付け部材１３をフック爪部１６の屈曲した先端部がフック掛止孔部７から略真っ直ぐに抜ける位置まで回動させた後、電話機取り付け部材１３を下方へ移動させることによりフック爪部１６をフック掛止孔部７から抜く。このようにして、電話機取り付け部材１３を電話機１から取り外す。
【００４９】
以上のように本実施の形態１における電話機の取り付け構造は構成されているので、以下のような作用を有する。
【００５０】
（１）電話機１を壁面２８に固定された電話機取り付け部材１３に取り付ける場合、電話機１の内部底面部５に壁面２８に固定された電話機取り付け部材１３のフック爪部１６を当接させ滑らせながら電話機１を下方へ移動させ、フック爪部１６をフック掛止孔部７に挿入して掛止する。続いて、電話機１をフック爪部１６が挿入されたフック掛止孔部７を支点にして電話機取り付け部材１３に向かって回動させる。嵌合凸部２３は筐体底面２により押し込まれて陥没し、最奥部において嵌合凹部９に嵌合する。このようにして、電話機１を壁面２８に固定された電話機取り付け部材１３に取り付けることができる。
【００５１】
（２）電話機取り付け部材１３を電話機１から取り外す場合、電話機取り付け部材１３の脱着レバー部２４を下方に向かって押し下げることにより、嵌合凸部２３は陥没し電話機１の嵌合凹部９から外れる。続いて、電話機取り付け部材１３を電話機１のフック掛止孔部７に挿入されたフック爪部１６を支点にして電話機１から離れる方向に回動させると共に、電話機取り付け部材１３を下方へ移動させることによりフック爪部１６をフック掛止孔部７から抜く。このようにして、電話機取り付け部材１３を電話機１から取り外すことができる。
【００５２】
（３）電話機取り付け部材１３の下部側突出部１９の上面に形成された底面保持面２０に電話機１の筐体底面２を載置して保持すると共に、フック爪部１６をフック掛止孔部７に挿入し嵌合凸部２３を嵌合凹部９に嵌合して、電話機１を卓上載置時と同じ向きで電話機取り付け部材１３を介して壁面２８に取り付けることができるので、壁面取り付け時にも電話機１の向きが変わらないのでコードレスの送受話器３４を送受話器保持部３３に略垂直に安定して保持することができると共に電話機１の操作ボタン等が設けられた筐体上面３２を上側にして壁面に取り付けることができるので電話機１の操作性に優れる。
【００５３】
（４）電話機１を壁面２８に固定された電話機取り付け部材１３に取り付けた場合、電話機取り付け部材１３の下部側突出部１９の上面に形成された底面保持面２０に電話機１の筐体底面２を載置して保持することができるので、電話機１に電話機１が下方へ移動する方向に衝撃が加わった場合であっても電話機１は電話機取り付け部材１３から外れることがなく電話機取り付け部材１３に強固に固定される。
【００５４】
（５）電話機１を壁面２８に固定された電話機取り付け部材１３に取り付けた場合、電話機１の係合受け部８に電話機取り付け部材１３の係合爪部１８が係合するので、電話機１に電話機１が上方へ移動する方向に衝撃が加わった場合、又は電話機の先端部が下に押し下げられる衝撃が加わった場合であっても電話機１は電話機取り付け部材１３から外れることがなく電話機取り付け部材１３に強固に固定される。
【００５５】
（６）電話機１を壁面２８に固定された電話機取り付け部材１３に取り付けた場合、フック爪部１６の先端部が電話機１の反対側に屈曲し、且つ、背面保持面１７が筐体背面３の背面側凹部４の内部底面部５に当接して筐体背面３を保持するので、電話機１に電話機１が上方へ移動する方向に衝撃が加わった場合、又は電話機の先端部が下に押し下げられる衝撃が加わった場合であっても電話機１は電話機取り付け部材１３から外れることがなく電話機取り付け部材１３に強固に固定される。
【００５６】
【発明の効果】
以上のように本発明の電話機の取り付け構造によれば、以下のような有利な効果を得ることができる。
【００５７】
請求項１に記載の発明によれば、
（１）電話機取り付け部材の下部側突出部の上面に形成された底面保持面に電話機の筐体底面を載置して保持すると共に、フック爪部をフック掛止孔部に挿入し嵌合凸部を嵌合凹部に嵌合して、電話機を卓上載置時と同じ向きで電話機取り付け部材を介して壁面に取り付けることができるので、壁面取り付け時にも電話機の向きが変わらないのでコードレスの送受話器等を略垂直に安定して保持することができると共に電話機の操作ボタン等が設けられた筐体上面を上側にして壁面に取り付けることができるので電話機の操作性に優れる電話機の取り付け構造を提供することができる。
【００５８】
（２）電話機を壁面に固定された電話機取り付け部材に取り付けた場合、電話機取り付け部材の下部側突出部の上面に形成された底面保持面に電話機の筐体底面を載置して保持することができるので、電話機に電話機が下方へ移動する方向に衝撃が加わった場合であっても電話機は電話機取り付け部材から外れることがなく電話機取り付け部材に強固に固定される取り付け強度に優れた電話機の取り付け構造を提供することができる。
【００５９】
請求項２に記載の発明によれば、請求項１の効果に加え、
（１）電話機取り付け部材を電話機から取り外す場合、電話機取り付け部材の脱着レバー部を操作することにより、嵌合凸部を陥没させ電話機の嵌合凹部から外すことができ容易に電話機の脱着操作を行うことができる操作性に優れた電話機の取り付け構造を提供することができる。
【００６０】
請求項３に記載の発明によれば、請求項１又は２の効果に加え、
（１）電話機を壁面に固定された電話機取り付け部材に取り付けた場合、電話機の係合受け部に電話機取り付け部材の係合爪部が係合するので、電話機に電話機が上方へ移動する方向に衝撃が加わった場合、又は電話機の先端部が下に押し下げられる衝撃が加わった場合であっても電話機は電話機取り付け部材から外れることがなく電話機取り付け部材に強固に固定される取り付け強度に優れた電話機の取り付け構造を提供することができる。
【００６１】
請求項４に記載の発明によれば、請求項１乃至３の内いずれか１項の効果に加え、
（１）電話機を壁面に固定された電話機取り付け部材に取り付けた場合、背面保持面が筐体背面に当接して筐体背面を保持することができる取り付け時の安定性に優れた電話機の取り付け構造を提供することができる。
【００６２】
請求項５に記載の発明によれば、請求項４の効果に加え、
（１）電話機を壁面に固定された電話機取り付け部材に取り付けた場合、フック爪部の先端部が電話機の反対側に屈曲し、且つ、背面保持面が筐体背面に当接して筐体背面を保持するので、電話機に電話機が上方へ移動する方向に衝撃が加わった場合、又は電話機の先端部が下に押し下げられる衝撃が加わった場合であっても電話機は電話機取り付け部材から外れることがなく電話機取り付け部材に強固に固定される取り付け強度に優れた電話機の取り付け構造を提供することができる。
【図面の簡単な説明】
【図１】実施の形態１の電話機の取り付け構造における電話機の筐体背面側の要部斜視図
【図２】（ａ）実施の形態１の電話機の取り付け構造における電話機取り付け部材の電話機取り付け面側の要部斜視図
（ｂ）実施の形態１の電話機の取り付け構造における電話機取り付け部材の壁面固定面側の要部斜視図
【図３】壁面に固定された電話機取り付け部材に電話機を取り付けた状態を示す一部断面要部側面図
【図４】（ａ）電話機を壁面に固定された電話機取り付け部材に取り付ける動作を示す要部側面図
（ｂ）電話機を壁面に固定された電話機取り付け部材に取り付ける動作を示す要部側面図
【図５】（ａ）電話機取り付け部材を電話機から取り外す動作を示す要部側面図
（ｂ）電話機取り付け部材を電話機から取り外す動作を示す要部側面図
【符号の説明】
１  電話機
２  筐体底面
３  筐体背面
４  背面側凹部
５  内部底面部
６  内部側面部
７  フック掛止孔部
８  係合受け部
９  嵌合凹部
１０  電源接続部
１１  回線接続部
１３  電話機取り付け部材
１４  電話機取り付け面
１５  上部側突出部
１６  フック爪部
１７  背面保持面
１８  係合爪部
１９  下部側突出部
２０  底面保持面
２１  保持部開口部
２２  弾性部
２３  嵌合凸部
２４  脱着レバー部
２５  開口部
２６  取り付け孔部
２６ａ  スライド部
２６ｂ  抜き出し部
２８  壁面
２９  モジュラージャック
３０  外装部
３１  ビス
３２  筐体上面
３３  送受話器保持部
３４  送受話器
【図１】
2004328113.tif 000003
【図２】
2004328113.tif 000004
【図３】
2004328113.tif 000005
【図４】
2004328113.tif 000006
【図５】
2004328113.tif 000007